(57)【要約】【課題】  建築コストを抑制しつつ、外観の豊かな表現を可能とするとともに、設計者の熟練度を問わずに簡単に体裁よくまとまった外観デザインとすることができる住宅を提供する。【解決手段】  住宅１は、少なくとも上階の正面外壁３に片持ちのオーバーハング部４及びキャンティバルコニー５が設けられる住宅１であって、下階の正面外壁３ａのうち前記オーバーハング部４及びキャンティバルコニー５の下方領域６における最も屋内側に後退した外壁面を外壁基準ラインＬとして、前記オーバーハング部４は、前記外壁基準ラインＬから予め設定された張出許容距離以下張り出して形成されるとともに、前記キャンティバルコニー５は前記オーバーハング部４と外面が略面一に形成される。【選択図】図１
2013127181.tif 000002
【特許請求の範囲】
【請求項１】
少なくとも上階の正面外壁に片持ちのオーバーハング部及びキャンティバルコニーが設けられる住宅であって、
下階の正面外壁のうち前記オーバーハング部及び前記キャンティバルコニーの下方領域における最も屋内側に後退した外壁面を外壁基準ラインとして、
前記オーバーハング部は、前記外壁基準ラインから予め設定された張出許容距離以下張り出して形成されるとともに、前記キャンティバルコニーは前記オーバーハング部と外面が略面一に形成されることを特徴とする住宅。
【請求項２】
前記下階の正面外壁の一部が、前記外壁基準ラインから前記張出許容距離未満の距離突き出した突出部を形成することを特徴とする請求項１に記載の住宅。
【請求項３】
前記下階の正面外壁に設けられた開口部と、
該開口部の上方に前記正面外壁から突き出して設けられた略水平なフラット庇と、を備え、
前記フラット庇の下面は前記オーバーハング部の下面と略面一に形成されるとともに、前記オーバーハング部の外面の下端に、前記フラット庇の突端面から連続する見切り化粧材が固定されることを特徴とする請求項１又は請求項２に記載の住宅。
【請求項４】
前記オーバーハング部は当該住宅の外壁の他の部分と色及び／又は模様が異なることを特徴とする請求項１から請求項３のいずれかに記載の住宅。
【請求項５】
前記キャンティバルコニーの前記オーバーハング部と反対側の側面に袖壁が形成されたことを特徴とする請求項１から請求項４のいずれかに記載の住宅。
【発明の詳細な説明】
【技術分野】
【０００１】
本発明は、主として経済的設計手法を用いた低層住宅に関する。
【背景技術】
【０００２】
従来より住宅を矩形平面の総２階建とすることで、床面積あたりの建築単価を下げつつ、高い構造強度を保つことが知られているが、一方で外壁面に凹凸がないため外観が単調になりやすい問題があった。
【０００３】
そこで、住宅の外観が単調になることを解消して外観意匠を高めるために、これまでにも種々の発明が提案されている。例えば、特許文献１には、外壁から突出する庇を住宅本体における玄関側の正面全体を含めた少なくとも３方向の面に跨って配置した発明が記載されており、特許文献２には、複数の窓が設けられたオーバーハング部が形成された住宅が記載されている。このように、凹凸のない単調な外壁面に庇やオーバーハング部を設けることで、外壁面の単調さを解消して、住宅の外観意匠を高めることができる。
【先行技術文献】
【特許文献】
【０００４】
【特許文献１】特開２０１０−１３８７５号公報
【特許文献２】特開平１１−１０１００７号公報
【発明の概要】
【発明が解決しようとする課題】
【０００５】
ところで、外観意匠を向上させつつ建築コストを抑えるためには、適切な形状の庇やオーバーハング部をそれぞれ適切に配置する必要があり設計者の熟練が必要となる。
【０００６】
そこで、本発明は、建築コストを抑制しつつ、外観の豊かな表現を可能とするとともに、設計者の熟練度を問わずに簡単に体裁よくまとまった外観デザインとすることができる住宅を提供することを目的とする。
【課題を解決するための手段】
【０００７】
請求項１に記載の住宅は、少なくとも上階の正面外壁に片持ちのオーバーハング部及びキャンティバルコニーが設けられる住宅であって、下階の正面外壁のうち前記オーバーハング部及びキャンティバルコニーの下方領域における最も屋内側に後退した外壁面を外壁基準ラインとして、前記オーバーハング部は、前記外壁基準ラインから予め設定された張出許容距離以下張り出して形成されるとともに、前記キャンティバルコニーは前記オーバーハング部と外面が略面一に形成されることを特徴としている。
【０００８】
請求項２に記載の住宅は、前記下階の正面外壁の一部が、前記外壁基準ラインから前記張出許容距離未満の距離突き出した突出部を形成することを特徴としている。
【０００９】
請求項３に記載の住宅は、前記下階の正面外壁に設けられた開口部と、該開口部の上方に前記正面外壁から突き出して設けられた略水平なフラット庇と、を備え、前記フラット庇の下面は前記オーバーハング部の下面と略面一に形成されるとともに、前記オーバーハング部の外面の下端に、前記フラット庇の突端面から連続する見切り化粧材が固定されることを特徴としている。
【００１０】
請求項４に記載の住宅は、前記オーバーハング部は当該住宅の外壁の他の部分と色及び／又は模様が異なることを特徴としている。
【００１１】
請求項５に記載の住宅は、前記キャンティバルコニーの前記オーバーハング部と反対側の側面に袖壁が形成されたことを特徴としている。
【発明の効果】
【００１２】
請求項１に記載の住宅は、オーバーハング部及びキャンティバルコニーの下方領域における下階の正面外壁のうち最も屋内側に形成された面を外壁基準ラインとして設定し、上階に設けられるオーバーハング部がこの外壁基準ラインから予め定められた張出許容距離以下の範囲で張り出して形成されるとともに、このオーバーハング部と外面が略面一にキャンティバルコニーが形成されている。この張出許容距離を住宅の構造耐力に大きな影響を与えることがない距離に設定しておくことにより、オーバーハング部及びキャンティバルコニーを設けても大幅な耐力部材の増加を避けることができ、建築コストを抑制することができる。また、上階にはオーバーハング部とキャンティバルコニーとが外面を揃えて張り出しているので、体裁よくまとまった外観とすることができ、設計者の熟練度に関わらず、外観の豊かな表現を可能とすることができる。また、キャンティバルコニーの隣に外面が略面一なオーバーハング部が形成されることにより、隣地の住宅からの視界を遮ってキャンティバルコニー及びこのキャンティバルコニーが設けられた部屋のプライバシーを守ることができる。また、例えばオーバーハング部がキャンティバルコニーの西側に設けられている場合は、西日が室内に照射することを防ぐことができる。
【００１３】
請求項２に記載の住宅は、下階の正面外壁の一部が外壁基準ラインから張出許容距離未満の距離突き出した突出部を形成しているので、下階の正面外壁にも変化をつけることができるとともに、上階のオーバーハング部及びキャンティバルコニーは張出許容距離まで張り出させることで、突出部よりも前方に張り出すことになるので、下階よりも張り出した状態を維持でき、変化にとんだ外観とすることができる。
【００１４】
請求項３に記載の住宅は、下階の正面外壁に設けられた開口部の上方に略水平なフラット庇が形成されており、このフラット庇の下面がオーバーハング部の下面と略面一に形成されるとともに、オーバーハング部の外面の下端に、このフラット庇の突端面から連続する見切り化粧材が固定されているので、外観上はオーバーハング部が庇の上に形成されているように見えて、統一感を持った外観デザインにすることができる。また、単に見切り化粧材でフラット庇とオーバーハング部の外面の下端が連続するような外観を創出しているので、オーバーハング部の下側にに実際に略水平な庇を設ける場合に比べてコストを下げることができる。
【００１５】
請求項４に記載の住宅は、オーバーハング部は住宅の外壁の他の部分と色及び／又は模様が異なるので、さらに住宅の正面外観を変化にとんだものにすることができ、外観意匠を向上することができる。
【００１６】
請求項５に記載の住宅は、キャンティバルコニーのオーバーハング部と逆側の側面に袖壁が形成されているので、キャンティバルコニーはオーバーハング部と袖壁とに挟まれることとなり、よりプライバシーを確保することができ、また、不要な日射を遮ることができる。また袖壁とすることで、下階側の地面に基礎を回す必要がないので経済的なものにすることができる。
【図面の簡単な説明】
【００１７】
【図１】本発明の住宅の外観構成を説明する斜視図。
【図２】本発明の住宅の外観構成を説明する正面図。
【図３】本発明の住宅の外観構成を図１とは別の角度から見た斜視図。
【図４】図２のＡーＡ断面図。
【図５】図２のＢ−Ｂ断面図。
【図６】本発明の実施形態の変形例を示す正面図。
【図７】本発明の実施形態の別の変形例を示す正面図。
【発明を実施するための形態】
【００１８】
以下、本発明の住宅１の最良の実施形態について、各図を参照しつつ説明する。まず、図１から図３を参照しつつ本実施形態の住宅１の外観構成について説明する。本実施形態の住宅１は、例えば屋根２が寄棟造りの平面視略長方形状の２階建て戸建住宅であって、最も人目に付きやすい接道側の面を正面として建築されている。なお、本発明の住宅１の屋根２の形状は寄棟造りに限られず、切妻その他の種々の屋根形状の住宅１とすることができる。この住宅１の正面外壁３には、その２階部分に１階の正面外壁３ａよりも張り出したオーバーハング部４が形成されるとともに、オーバーハング部４に隣接してキャンティバルコニー５が形成されている。１階の正面外壁３ａのうち、これらオーバーハング部４及びキャンティバルコニー５の下方領域６には、外部から住宅１の正面を見て左側に外部側に突出する突出部７が設けられており、その右側には突出部７よりも壁面が後退した後退部８が形成されている。また、突出部７の左側にはアルコーブ９が設けられ、このアルコーブ９の奥に玄関ドア１０が設置されている。なお、本発明における「開口部」は本実施形態においては玄関ドア１０がこれに相当する。
【００１９】
アルコーブ９の上方の外壁の１階部分と２階部分との境界付近には外方向に向かって水平に突出するフラット庇１１が設けられている。このフラット庇１１は、外部から住宅１の正面を見て左側にも突出して、住宅１の側面にも一部が回りこんで形成されている。また、このフラット庇１１の外部から住宅１の正面を見て最も左側の前方寄りの隅にはピロティ柱１２が設けられている。また、アルコーブ９の上面とフラット庇１１の下面とは略面一に連続して設けられており、フラット庇１１の下側のピロティ空間からアルコーブ９の内部にかけて玄関ポーチ１３が形成されている。
【００２０】
オーバーハング部４はその下面がフラット庇１１の下面と略面一に形成されている。また、オーバーハング部４の上端は軒裏にまで延びて設けられており、その外壁面は、例えば赤茶けたレンガ模様に彩色されたサイディング材を固定して形成されている。なお、外壁面のうち、このオーバーハング部４以外の外壁面は例えば白色系の塗装がなされている。このようにオーバーハング部４の外壁面を他の外壁面とは異なる色及び模様にすることで、正面から見たときに住宅１の外観に変化をつけることができる。また、オーバーハング部４の正面側の外壁面には、複数の形状から選択された意匠サッシ１４が配置されている。意匠サッシ１４は、矩形枠体で内側に引き違い窓、開き窓、折り戸などの開閉可能な窓が設けられるサッシ、及び１又は複数の連続する矩形若しくは円形の嵌め殺し窓のサッシの中から外観の印象及び機能性に応じて適切なものが選択される。
【００２１】
また、このオーバーハング部４の正面側の外壁面の下端には見切り化粧材１５が水平に延設されており、この見切り化粧材１５は、フラット庇１１の突端面にまで延びて設けられている。このように、フラット庇１１の下面がオーバーハング部４の下面と略面一に形成されるとともに、オーバーハング部４の正面側の外壁面の下端に設けられた見切り化粧材１５がフラット庇１１の突端面にまで連続して形成されているので、外観上はオーバーハング部４が庇の上に形成されているように見えて、統一感を持った外観デザインにすることができる。また、このように単に見切り化粧材１５を設けるだけで、フラット庇１１とオーバーハング部４の下端が連続するような外観を創出しているので、オーバーハング部４の下側にに実際に略水平な庇を設ける場合に比べてコストを下げることができる。
【００２２】
キャンティバルコニー５は、オーバーハング部４に隣接して形成されており、オーバーハング部４と反対側に袖壁１６が設けられている。キャンティバルコニー５はオーバーハング部４と袖壁１６とに挟まれているので、隣地に建てられた住宅１からキャンティバルコニー５及び屋内への視線を遮ることができ、プライバシーを確保することができ、また、不要な日射を遮ることができる。また、キャンティバルコニー５の前面にはキャンティバルコニー５の床面から所定高さまで手摺１７が設けられている。キャンティバルコニー５の奥の外壁には掃き出し窓１８ａが設けられている。
【００２３】
１階の突出部７は２階のオーバーハング部４の下方にこのオーバーハング部４よりも後退して設けられており、この突出部７には掃き出し窓１８ｂが形成されている。また、突出部７に隣接して設けられた後退部８は、キャンティバルコニー５の下方に突出部７よりもさらに後退して形成されており、この後退部８にも掃き出し窓１８ｃが形成されている。
【００２４】
本実施形態の住宅１は以上のように構成されることで、１階においては突出部７と後退部８との間の出隅入隅による変化、１階外壁よりも２階のオーバーハング部４及びキャンティバルコニー５が張り出すことによる変化、及びキャンティバルコニー５の手摺１７よりも上部分が屋内方向に後退したように見えることによる変化によって、住宅１の正面外観の単調さを解消している。一方、フラット庇１１とオーバーハング部４とを見切り化粧材１５で連続させ、また、オーバーハング部４とキャンティバルコニー５とを外面が略面一になるように構成することで、外観に統一感を持たせて意匠性を向上させている。
【００２５】
次に、オーバーハング部４、キャンティバルコニー５、及びこれらの下方領域６に形成された突出部７、並びに後退部８の外面への出の寸法について、図４及び図５を参照しつつ説明する。オーバーハング部４及びキャンティバルコニー５のような片持ち構造体が住宅１の構造耐力に大きな影響を与えることがない張出距離である張出許容距離を予め算出する。本実施形態においては、張出許容距離は例えば１メートルである。図４に示すように、オーバーハング部４及びキャンティバルコニー５の下方領域６における１階外壁の最も屋内側に形成された後退部８の外壁面を外壁基準ラインＬとするとした場合に、突出部７の外面の外壁基準ラインＬからの突出距離Ｘは、張出許容距離１メートルの２分の１である０．５メートルとなるように突出して設けられる。一方、オーバーハング部４は、図５に示すように、外壁基準ラインＬからの張出距離Ｙが、張出許容距離である１メートルとなっている。したがってオーバーハング部４は１階外壁の突出部７の外面からさらに０．５メートル張り出している。また、キャンティバルコニー５は、オーバーハング部４と同様に外壁基準ラインＬからの張出距離が１メートルとなっており、オーバーハング部４の外面とキャンティバルコニー５の外面とが略同一に構成されている。
【００２６】
このように、オーバーハング部４を突出部７の外面を基準として張出許容距離分張り出させるのではなく、外壁基準ラインＬを基準として張出許容距離分張り出させることで、後退部８の上に張り出すキャンティバルコニー５が張出許容距離以上に張り出すことなく、オーバーハング部４及びキャンティバルコニー５の外面を略面一に形成することができる。また、突出部７の突出距離Ｘを張出許容距離の２分の１である０．５メートルとすることで、オーバーハング部４を外壁基準ラインＬから張出許容距離である１メートル張り出させたときに、オーバーハング部４はその下方に設けられた突出部７からも０．５メートル張り出すことができる。
【００２７】
このように本実施形態の住宅１は、大幅な耐力部材の増加を避けて建築コストを抑制しつつ、設計者の熟練度に関わらず、変化に富んでいるとともに体裁よくまとまった外観とすることができる。
【００２８】
次に、図６及び図７に基づいて、本発明の実施形態の変形例について説明する。上述の実施形態においては、住宅１の正面外壁３の１階部分には突出部７及び後退部８が形成されていたが、例えば図６に示すように、１階の正面外壁３ａには突出部７を設けることなく、アルコーブ９を除いて外壁基準ラインＬに沿って直線的に設けられるものであってもよい。また、図７に示すように、アルコーブ９も設けられることなく、１階の正面外壁３ａ全体が平坦に形成されるものであってもよい。
【００２９】
また、上述の実施形態においては、オーバーハング部４は１階の正面外壁３ａに設けられた突出部７の上方に張り出して形成されていたが、例えば図６に示すように、突出部７を設けていない１階の正面外壁３ａ上に張り出して設けられていてもよい。この場合において、アルコーブ９を除く１階の正面外壁３ａを外壁基準ラインＬとして、オーバーハング部４及びキャンティバルコニー５はそれぞれ外壁基準ラインＬから張出許容距離である１メートル張り出してもよく、また、張出許容距離以下の０．５メートル張り出すものであってもよい。また、オーバーハング部４は、図７に示すように、玄関ドア１０の上方に設けられていてもよい。図７においては、アルコーブ９が設けられておらず、玄関ドア１０が形成された部分を含む１階の正面外壁３ａ全体を外壁基準ラインＬとして、オーバーハング部４及びキャンティバルコニー５はそれぞれ外壁基準ラインＬから張出許容距離である１メートル張り出してもよく、また、張出許容距離以下の０．５メートル張り出すものであってもよい。
【００３０】
例えば図６に示すように、オーバーハング部４に意匠サッシ１４を設けなくてもよい。また例えば玄関ポーチ１３の上方の外壁に意匠サッシ１４を設けることもできる。
【００３１】
なお、図示しないが、例えば玄関ドア１０が形成された部分に０.５メートル後退するアルコーブ９が設けられていてもよい。この場合、アルコーブ９の最も奥、すなわち玄関ドア１０が形成された外壁を外壁基準ラインＬとして、オーバーハング部４及びキャンティバルコニー５はそれぞれ外壁基準ラインＬから張出許容距離である１メートル張り出して設けられる。
【００３２】
また、図７に示すように、玄関ドア１０の上にオーバーハング部４が張り出して形成される場合には、オーバーハング部４の下端に見切り化粧材１５が設けられるのみで、フラット庇１１が設置されないものであってもよい。
【００３３】
なお、本発明の実施の形態は上述の形態に限ることなく、本発明の思想の範囲を逸脱しない範囲で適宜変更することができることは云うまでもない。
【産業上の利用可能性】
【００３４】
本発明に係る住宅１は、例えば２階建て戸建住宅などの低層の戸建または集合住宅として好適に用いることができる。
【符号の説明】
【００３５】
１      住宅
４      オーバーハング部
５      キャンティバルコニー
６      下方領域
１０    玄関ドア（開口部）
１１    フラット庇
１５    見切り化粧材
１６    袖壁
Ｌ      外壁基準ライン
【図１】
2013127181.tif 000003
【図２】
2013127181.tif 000004
【図３】
2013127181.tif 000005
【図４】
2013127181.tif 000006
【図５】
2013127181.tif 000007
【図６】
2013127181.tif 000008
【図７】
2013127181.tif 000009